(57)【要約】【課題】別途の部材を備えることなく内部に配設したポンプの固定が可能な水槽を提供する。【解決手段】ポンプＰを配設可能な据付空間を有する水槽であって、据付空間にポンプＰを配設したときにポンプＰを挟持して挟持した方向に対するポンプＰの移動を規制可能な一対のポンプ用規制部５４（５４ａ，５４ｂ）が、据付空間を構成する内側面部に一体的に備えられている。【選択図】図１２
2015188863.tif 000002
【特許請求の範囲】
【請求項１】
ポンプを配設可能な据付空間を有する水槽であって、
前記据付空間に前記ポンプを配設したときに前記ポンプを挟持して前記挟持した方向に対する前記ポンプの移動を規制可能なポンプ用規制部が、
前記据付空間を構成する内側面部に一体的に備えられていることを特徴とする水槽。
【請求項２】
前記ポンプ用規制部は、前記据付空間を構成する内底面部から所定距離上方に離間した位置に配設されていることを特徴とする請求項１に記載の水槽。
【請求項３】
前記ポンプ用規制部に、目盛部が備えられていることを特徴とする請求項１または２に記載の水槽。
【請求項４】
周囲に第一フランジ部を備えた第一開口部を側面部に備える第一筐体部と、
周囲に、前記第一フランジ部と対応した形状の第二フランジ部を備えた第二開口部を側面部に備える第二筐体部とを備え、
前記第一開口部と前記第二開口部とを対向させ、前記第一フランジ部と前記第二フランジ部とを接合したときに、
前記第一筐体部と前記第二筐体部とで区画される空間によって、前記据付空間が構成されることを特徴とする請求項１から３のいずれか一項に記載の水槽。
【請求項５】
前記第一開口部に臨む前記第一筐体部の内側面部に、前記ポンプ用規制部のうちの一方のポンプ用規制部が配設され、
前記第二開口部に臨む前記第二筐体部の内側面部に、前記ポンプ用規制部のうちの他方のポンプ用規制部が、前記一方のポンプ用規制部に対向するように配設されていることを特徴とする請求項４に記載の水槽。
【請求項６】
前記第一筐体部の内底面部に、前記第一開口部の下端に沿って第一凹部が配設され、
前記第二筐体部の内底面部に、前記第二開口部の下端に沿って第二凹部が配設され、
前記第一凹部の上端に、前記ポンプ用規制部のうちの一方のポンプ用規制部が配設され、
前記第二凹部の上端に、前記ポンプ用規制部のうちの他方のポンプ用規制部が配設されていることを特徴とする請求項４または５に記載の水槽。
【請求項７】
前記内側面部には、前記据付空間に前記ポンプを配置したときに、前記ポンプの吐出管を挿通するための開口部が形成可能に構成され、
前記開口部の高さに対応した位置に、前記吐出管の垂直方向の移動を規制可能な吐出管用規制部が、
前記内側面部に一体的に備えられていることを特徴とする請求項４から６のいずれか一項に記載の水槽。
【請求項８】
前記吐出管用規制部には、前記吐出管用規制部の高さを示す目盛部が備えられていることを特徴とする請求項７に記載の水槽。
【請求項９】
前記第一筐体部及び前記第二筐体部は、同一の形状であることを特徴とする請求項４から８のいずれか一項に記載の水槽。
【発明の詳細な説明】
【技術分野】
【０００１】
本発明は、ポンプを配設可能な据付空間を有する水槽に関する。
【背景技術】
【０００２】
上記構成の水槽は、例えば、特許文献１に記載される被処理水を生物処理する浄化槽に取り付けられる放流ポンプ槽に利用されている。
【０００３】
従来、一般家庭において、地下に埋設した浄化槽によってし尿や生活排水を処理する場合がある。このような浄化槽は、槽内に被処理水の原水、例えばし尿や生活排水、の流入を受けて生物処理する水処理空間を有し、生物処理された被処理水を、浄化槽に設けられた放流口より槽外に放流するように構成されている。
しかし、現地での設置基準や地形条件によっては、例えば、放流先が放流口の高さよりも高い位置にある場合には、自然流下によって被処理水を放流先まで流すことができない。このような場合には、浄化槽を設置するために地下に構築されたコンクリート製の基礎上に、浄化槽とは別体の放流ポンプ槽を併設し、浄化槽の放流口と放流ポンプ槽の流入口を接続する配管を介して、被処理水を浄化槽から一旦放流ポンプ槽に自然流下させ、放流ポンプ槽に内設されたポンプによって被処理水を放流先に圧送することが行われている。
浄化槽に放流ポンプ槽を併設するにあたっては、施工を容易にする等の理由により、放流ポンプ槽を基礎から浮いた位置で浄化槽の側面に取り付けることで、放流ポンプ槽を基礎へ固設する作業を不要としている。
【０００４】
例えば、特許文献１には、放流ポンプ槽を浄化槽本体の外側で、且つ浄化槽本体が設置される床盤上面より浮いた状態で連結支持してある構成が開示されている。
【先行技術文献】
【特許文献】
【０００５】
【特許文献１】特開２００２−２４８４８４号公報
【発明の概要】
【発明が解決しようとする課題】
【０００６】
しかし、特許文献１に開示された放流ポンプ槽においては内部に配設されるポンプを、放流ポンプ槽内に積極的に固定する構成ではないため、ポンプ駆動時のインペラの回転の反力によって、または浄化槽本体から流入する流体の流れによってポンプが移動したり、ポンプの移動によってポンプに接続された吐出管に不要な応力がかかり破損する虞があった。
【０００７】
このようなポンプの移動を規制するために、放流ポンプ槽内に別体のブラケットを設け、このブラケットにポンプを固定することも考えられる。しかし、前記ブラケットを放流ポンプ槽に設けるために、放流ポンプ槽の側面にボルト孔を貫通形成すると、該ボルト孔が原因で漏水及び材質の強度の劣化による破損の虞があった。
【０００８】
従って、本発明の目的は、別途の部材を備えることなく内部に配設したポンプの固定が可能な水槽を提供することにある。
【課題を解決するための手段】
【０００９】
本発明による水槽の第一の特徴構成は、ポンプを配設可能な据付空間を有する水槽であって、前記据付空間に前記ポンプを配設したときに前記ポンプを挟持して前記挟持した方向に対する前記ポンプの移動を規制可能なポンプ用規制部が、前記据付空間を構成する内側面部に一体的に備えられている点にある。
【００１０】
水槽に配設されたポンプは、ポンプ用規制部に挟持されて、挟持方向の移動が規制される。ポンプを固定するためのブラケットを別途備える必要がない。水槽にブラケットを取り付けるためのボルト孔を貫通形成する必要がないため、ボルト孔からの漏水等の虞もない。
【００１１】
同第二の特徴構成は、前記ポンプ用規制部は、前記据付空間を構成する内底面部から所定距離上方に離間した位置に配設されている点にある。
【００１２】
ポンプのインペラケーシングに対応する高さにポンプ用規制部を配設することで、ポンプ用規制部によってインペラケーシングの部分を挟持することができる。これによりポンプの移動が効果的に規制される。
【００１３】
同第三の特徴構成は、前記ポンプ用規制部に、目盛部が備えられている点にある。
【００１４】
設置したいポンプのサイズに応じて、目盛部に示された距離を目安としながら、ポンプ用規制部と前記ポンプとの距離を、例えば切削等の後加工によって調整することができる。
【００１５】
同第四の特徴構成は、周囲に第一フランジ部を備えた第一開口部を側面部に備える第一筐体部と、周囲に、前記第一フランジ部と対応した形状の第二フランジ部を備えた第二開口部を側面部に備える第二筐体部とを備え、前記第一開口部と前記第二開口部とを対向させ、前記第一フランジ部と前記第二フランジ部とを接合したときに、前記第一筐体部と前記第二筐体部とで区画される空間によって、前記据付空間が構成される点にある。
【００１６】
水槽を二分割の構成とすることで、第一筐体部及び第二筐体部の製造にプレス成型や、インジェクション成型を好適に採用することができ、大量生産することが可能となる。
【００１７】
同第五の特徴構成は、前記第一開口部に臨む前記第一筐体部の内側面部に、前記ポンプ用規制部のうちの一方のポンプ用規制部が配設され、前記第二開口部に臨む前記第二筐体部の内側面部に、前記ポンプ用規制部のうちの他方のポンプ用規制部が、前記一方のポンプ用規制部に対向するように配設されている点にある。
【００１８】
第一筐体部に配設されたポンプ用規制部と、第二筐体部に配設されたポンプ用規制部とで、ポンプを挟持し、その挟持方向への移動を規制することができる。
【００１９】
同第六の特徴構成は、前記第一筐体部の内底面部に、前記第一開口部の下端に沿って第一凹部が配設され、前記第二筐体部の内底面部に、前記第二開口部の下端に沿って第二凹部が配設され、前記第一凹部の上端に、前記ポンプ用規制部のうちの一方のポンプ用規制部が配設され、前記第二凹部の上端に、前記ポンプ用規制部のうちの他方のポンプ用規制部が配設されている点にある。
【００２０】
第一凹部と第二凹部を対向させて区画される空間を、砂溜として利用することができる。ポンプの吸込口を前記砂溜に臨まして配設したときに、前記砂溜の内面側上端に位置する前記ポンプ用規制部間によって、インペラケーシングの部分を挟持することができる。
【００２１】
同第七の特徴構成は、前記内側面部には、前記据付空間に前記ポンプを配置したときに、前記ポンプの吐出管を挿通するための開口部が形成可能に構成され、前記開口部の高さに対応した位置に、前記吐出管の垂直方向の移動を規制可能な吐出管用規制部が、前記内側面部に一体的に備えられている点にある。
【００２２】
ポンプの吐出管は、下端がポンプの吐出部に接続され、上端が吐出管用規制部に当接することで、垂直方向の移動が規制される。配管を固定するためのブラケットを別途備える必要がない。
【００２３】
同第八の特徴構成は、前記吐出管用規制部には、前記吐出管用規制部の高さを示す目盛部が備えられている点にある。
【００２４】
設置したいポンプの吐出管の取り回しに応じて、目盛部を目安としながら、吐出管用規制部の下端部の高さを、例えば切削等の後加工によって調整することができる。
【００２５】
同第九の特徴構成は、前記第一筐体部及び前記第二筐体部は、同一の形状である点にある。
【００２６】
第一筐体部及び第二筐体部を区別することなく製造することができる。例えば、第一筐体部及び第二筐体部をプレス成型する場合に、単一の金型で両者を製造することができる。量産効果により、該水槽をより安価なものにすることができる。
【発明の効果】
【００２７】
以上説明のとおり、本発明によれば、別途の部材を備えることなく内部に配設したポンプの固定が可能な水槽を提供することができるようになった。
【図面の簡単な説明】
【００２８】
【図１】本発明による放流ポンプ槽が浄化槽に取り付けられた浄化設備の概略側面図
【図２】本発明による放流ポンプ槽が浄化槽に取り付けられた浄化設備の概略断面図
【図３】本発明による放流ポンプ槽が浄化槽に取り付けられた浄化設備の概略斜視図
【図４】本発明による放流ポンプ槽が浄化槽に取り付けられた浄化設備の概略斜視図
【図５】本発明による放流ポンプ槽を構成する第一筐体部の斜視図
【図６】本発明による放流ポンプ槽を構成する第一筐体部の斜視図
【図７】本発明による放流ポンプ槽を構成する第一筐体部の外側面部側の説明図
【図８】本発明による放流ポンプ槽を構成する第一筐体部の内側面部側の説明図
【図９】本発明による放流ポンプ槽の凹部と浄化槽のフランジ部の概略説明図
【図１０】本発明による放流ポンプ槽の浄化槽への取り付けの説明図
【図１１】本発明による放流ポンプ槽の組み立て説明図
【図１２】本発明による放流ポンプ槽の底面部の説明図
【発明を実施するための形態】
【００２９】
以下に本発明の実施の形態を図面に基づいて説明する。
図１から図４には、浄化設備１００が示されている。浄化設備１００は、一般家庭から排出される被処理水としてのし尿排水だけを処理対象排水とする単独浄化槽や、被処理水としてし尿排水だけでなく、台所、洗濯、浴室等から生じる生活雑排水も処理対象排水として処理可能な合併浄化槽の形態をとる。通常、このような浄化設備１００は、地下に構築されたコンクリート製の基礎上に設置される。各図において地面やコンクリート製の基礎の記載は省略されている。
【００３０】
浄化設備１００は、浄化槽１０と放流ポンプ槽２０とを備えている。放流ポンプ槽２０は、浄化槽１０の外側面部に基礎から浮いた状態で取り付けられている。なお、本実施形態では、本発明による水槽は、浄化槽１０に取り付けられる放流ポンプ槽２０である。浄化槽１０は、放流ポンプ槽２０が取り付けられる被取付物となる。
【００３１】
浄化槽１０は、被処理水の原水を流入させて、内部の水処理空間で生物処理した後に外部に流出させる槽である。
前記原水を流入するための流入口（図示せず）や、生物処理した被処理水を流出するための放流口１３や、複数の点検開口部１４等を有する上槽１１と、浄化槽底部を有する下槽１２とがフランジ部１５で接続されて構成されている。上槽１１及び下槽１２は、夫々、例えば、ＦＲＰ等のプラスチック樹脂やジシクロペンタジェン等の合成樹脂等で製造されている。本実施形態では、浄化槽１０は、上槽１１と下槽１２からなる二分割のタイプを例に説明するが、上槽、下槽、及び中間パネルからなる三分割タイプであってもよい。
【００３２】
浄化槽１０の内部は、複数の仕切板で区画されている。そして、例えば、上流側から、嫌気処理槽（沈殿分離槽、夾雑物除去槽、嫌気濾床槽第一室、嫌気濾床槽第二室等）、好気処理槽（担体流動槽、接触ばっ気槽等）、濾過槽、沈殿槽、消毒槽等の各槽が形成（図示しない）されている。なお、必要に応じて流量調整槽を設けることも可能である。
【００３３】
放流ポンプ槽２０は、浄化槽１０で処理された被処理水の放流先が、浄化槽１０の放流口１３の高さよりも高い位置にある場合に設けられる槽である。
【００３４】
放流ポンプ槽２０は、移流管１６が接続される流入口２１が配設された第一筐体部３０と、内設されたポンプＰの吐出管が接続される流出口２２が配設された第二筐体部４０とが、フランジ部３１，４１で接続され、その天面部に点検開口部２３が配設された外観をしている。なお、内部には２台のポンプＰが配設され、それぞれの吐出管１７の立上管１７ａがヘッダ管１７ｂで連接され、合流管１７ｃが流出口２２に接続されている。浄化槽１０の消毒槽で消毒された被処理水は、放流口１３から移流管１６を介して放流ポンプ槽２０内に一旦流入させられ、二台のポンプＰのうちのいずれかによって放流先に圧送される。
【００３５】
第一筐体部３０及び第二筐体部４０は、夫々、例えば、ＦＲＰ等のプラスチック樹脂やジシクロペンタジェン等の合成樹脂等によって製造されている。
放流ポンプ槽２０は、半割り形状の第一筐体部３０及び第二筐体部４０を組み合わせる二分割の構成であるため、第一筐体部３０及び第二筐体部４０の製造にプレス成型や、インジェクション成型を好適に採用することができ、大量生産することが可能となる。ここでは、プレス成型法の一例としてＳＭＣ成型法を例に説明するが、その他のプレス成型法や、射出成型法であっても同様である。
【００３６】
第一筐体部３０及び第二筐体部４０は、同一の金型を用いて成型される。同一の金型を用いて第一筐体部３０と第二筐体部４０を成型することで、量産効果により、放流ポンプ槽２０をより安価なものにすることができる。第一筐体部３０及び第二筐体部４０は、基本的に同一の形状であるため、以下の説明では、第一筐体部３０と第二筐体部４０との区別が不要の構成については、両者を代表して第一筐体部３０についてのみ説明をする。
【００３７】
第一筐体部３０は、ＦＲＰ等の飽和ポリエステル樹脂性のシートを一対の金型間で加圧・加熱して成型される。
図５から図８に示すように、第一筐体部３０は、第一開口部３２の周囲に第一フランジ部３１が備えられた半割り形状を呈する。従って、第二筐体部４０も第二開口部４２の周囲に、第一フランジ部３１と対応した形状の第二フランジ部４１が備えられた半割り形状を呈する（図１参照）。
【００３８】
まず、図５及び図７に基づいて、第一筐体部３０の外側面部３０ａの構造について説明する。
放流ポンプ槽２０の外側面部３０ａのうち、第一開口部３２に対向する側の外側面部３０ａの下端部の左右二箇所に凹部３３が配設されている。凹部３３には、フランジ部３４が備えられている。フランジ部３４は、外側面部３０ａから水平方向に突設されている。本実施形態では、フランジ部３４は、第一開口部３２の面に対して垂直方向に配設されている。フランジ部３４の下面は、放流ポンプ槽２０の外壁底面部３５の周縁の一部を構成し、フランジ部３４の上面が凹部３３の底面部を構成する。凹部３４の天面部にはリブ３６が垂設され、リブ３６の下端部からフランジ部３４の上面までの間に所定の間隙を有するように構成されている。
【００３９】
凹部３３、フランジ部３４及びリブ３６は、第一筐体部３０をＳＭＣ成型法によって成型するにあたって第一筐体部３０の外側面部３０ａに一体的に備えられる。第一筐体部３０の外側面部３０ａ、外壁底面部３５、凹部３３、フランジ部３４及びリブ３６は、金型からスムーズに取り外せるように抜き勾配が備えられ、さらにアンダーカットがない形状となっている。従って、第一筐体部３０をＳＭＣプレス成型した直後には、フランジ部３４には、ボルトを挿通するためのボルト孔３７（図９参照）は配設されていないが、後加工によってボルト孔３７を形成することで、浄化槽１０のフランジ部１５にボルト等の締結手段によって固定することが可能となる。
【００４０】
ボルト孔３７の形成には、加工作業の簡単さから、電動工具、例えば電動ドリルが好ましく用いられる。作業員は、電動ドリルによってフランジ部３４を下面側からボルト孔３７を貫通形成する。この貫通形成時に、電動ドリルのドリル先端がフランジ部３４の上面を貫通した瞬間にそれまでの抵抗力がなくなり、勢い余ってドリルを押し込みすぎてしまうことがある。このような場合であっても、凹部３３の天面に垂設したリブ３６によって、ドリル先端が受け止められる。従って、誤って凹部３３の天面を貫通してしまう虞がない。
【００４１】
このように、フランジ部３４を外側面部３０ａに配設された凹部３３内に備えることで、従来のような、基端側が外側面部と面一に配設され、端縁側が外側面部から外方に大きく延出した構成のフランジ部に比べて、例えば放流ポンプ槽２０を取り付けるまでの、第一筐体部３０及び第二筐体部４０を組み合わせる前の状態での、または第一筐体部３０と第二筐体部４０とを組み合わせた状態での、保管時、搬送時、及び放流ポンプ槽２０を取り付ける作業において、フランジ部３４をぶつけて破損する虞が低減される。
【００４２】
さらに、フランジ部３４を、放流ポンプ槽２０の外壁底面部３５の周縁部分に配設することで、特に放流ポンプ槽２０を基礎から浮いた状態で浄化槽１０に固定する際に、放流ポンプ槽２０の下方からのボルト７０の締め付け作業が容易となる（図９及び図１０参照）。
【００４３】
図９及び図１０に示すように、フランジ部３４を浄化槽１０のフランジ部１５に固定する際に、ナット７１を凹部３３内に配設することで脱落を防止することもできる。ナット７１は、凹部３３の壁面に当接するような鍔部７２を備えて構成され、ボルト７０の締付時に、鍔部７２が凹部３３の壁面に当接することで、ボルト７０と供回りするのが防止されている。
【００４４】
フランジ部３４は、端縁側が第一筐体部３０の外側面部３０ａから外方に大きく延出した構成でなないため、浄化槽１０と放流ポンプ槽２０の対向面間の距離を近づけることができ、その分の設置スペースの省スペース化が図れる。さらに、放流ポンプ槽２０を支持するためのモーメントも低減する。
【００４５】
次に、図６及び図８に基づいて、第一筐体部３０の内側面部３０ｂの構造について説明する。
図８に示すように、第一筐体部３０の内側面部３０ｂの中央上方には、流入口２１を形成するときの目安となる溝部２１ａと、流出口２２を形成するときの目安となる溝部２２ａが配設されている。
【００４６】
溝部２１ａに沿って第一筐体部３０の壁面を切除することで、流入口２１を所定位置に容易に形成することができる。同様に、溝部２２ａに沿って第一筐体部３０の壁面を切除することで、流出口２２を所定位置に容易に形成することができる。つまり、第一筐体部３０の成型時に、予め流入口２１及び流出口２２の形状に応じた溝部２１ａ，２２ａを配設しておくことで、後加工における作業性が向上する。なお、本実施形態では、第一筐体部３０に流入口２１を形成し、第二筐体部に４０に流出口２２を形成する。
流入口２１や、流出口２２は夫々一種類ではなく、流入量に応じた移流管１６の径や、ポンプの排出量に応じた合流管１７ｃの径に対応する流入口及び流出口を形成可能にするための複数の溝部を配設することも可能である。
【００４７】
また、第一筐体部３０の内側面部３０ｂから見て左上方には、空気抜きを形成するときの目安となる溝部３８ａが配設されている。上述の流入口２１及び流出口２２と同様に、後加工によって空気抜きを容易に形成することができる。
【００４８】
また、第一フランジ部３１には、周囲に沿って複数のボルト孔３９を形成するときの目安となる溝部３９ａが配設されている。第一フランジ部３１と第二フランジ部４１とを接続するためのボルトを挿通するボルト孔３９を、その位置合わせをすることなく容易に形成することができる。また、第一フランジ３１の、特に第二フランジ部４１との当接面には、シールを配設するための溝部３１ａが配設されている。
【００４９】
第一筐体部３０の内側面部３０ｂの内底面部５１には、第一開口部３２の下端に沿って第一凹部５２ａが配設されている。
さらに、第一筐体部３０の内側面部３０ｂには、正面視で左右下方であって、内底面部５１ａに配設された第一凹部５２ａの上端にポンプ用規制部５３ａ，５４ａが突設している。
【００５０】
ポンプ用規制部５３ａ，５４ａは、第一筐体部３０をＳＭＣ成型法によって成型するにあたって第一筐体部３０の内側面部３０ｂに一体的に備えられる。第一筐体部３０の内側面部３０ｂ、内底面部５１ａ、第一凹部５２ａ及びポンプ用規制部５３ａ，５４ａは、金型からスムーズに取り外せるように抜き勾配が備えられ、さらにアンダーカットがない形状となっている。
【００５１】
なお、第二筐体部４０の内側面部４０ｂの内底面部５１ｂに配設された第二凹部５２ｂの上端には、第一筐体部３０のポンプ用規制部５３ａ，５４ａと対向するように、ポンプ用規制部５３ｂ，５４ｂが突設している。第一筐体部３０と第二筐体部４０とを組み合わせたときに、一対のポンプ用規制部５３（５３ａ，５３ｂ）と、一対のポンプ用規制部５４（５４ａ，５４ｂ）が構成される。つまり、本実施形態では、二組の一対のポンプ用規制部５３（５３ａ，５３ｂ），５４（５４ａ，５４ｂ）が備えられるが、ポンプ用規制部を、第一筐体部３０の内側面部３０ｂの、正面視で中央下方に備える構成であってもよい。この場合、一対のポンプ用規制部は、中央に一つだけ配設されることになる。
【００５２】
図１１に示すように、第一筐体部３０と第二筐体部４０とを組み合わせるには、両フランジ部３１，４１に配設された溝部３１ａにシール製のある接着剤を塗布した後、両フランジ部３１，４１を対向させ、両フランジ３１，４１のボルト孔３９にボルト及びナットを締結する。その後接着剤は固化してパッキンとなる。
【００５３】
図１２に示すように、第一筐体部３０と第二筐体部４０とを組み合わせたときに、第一筐体部３０と第二筐体部４０とで区画される空間によって、ポンプＰを配設するための据付空間が構成される。さらに、第一凹部５２ａと第二凹部５２ｂとで区画される空間は、ポンプＰの砂溜５２として利用することができる。
【００５４】
このようにして組み合わされた第一筐体部３０と第二筐体部４０で区画された据付空間にポンプＰの吸込口を砂溜５２に臨まして配設したときに、砂溜５２の内面側上端に位置する一対のポンプ用規制部５３（５３ａ，５３ｂ）または一対のポンプ用規制部５４（５４ａ，５４ｂ）によって、ポンプＰのインペラケーシングの部分を挟持でき、ポンプＰは挟持された方向に対する移動が規制される。また、前記インペラケーシングの下面に備えられている吸込部１８から水を吸い込む際の邪魔にもならない。
【００５５】
なお、本実施形態では、放流ポンプ槽２０には、２台のポンプＰが配設されている。放流ポンプ槽２０に配設された２台のポンプＰは、夫々一対のポンプ用規制部５３（５３ａ，５３ｂ）または一対のポンプ用規制部５４（５４ａ，５４ｂ）に挟持されて、挟持方向の移動が規制される。従って、ポンプＰを固定するためのブラケットを別途備える必要がない。放流ポンプ槽２０にブラケットを取り付けるためのボルト孔を貫通形成する必要がないため、ボルト孔からの漏水等の虞もない。
放流ポンプ槽２０内に予めポンプＰを配設した状態で埋設現場に搬入することができるので、現場での放流ポンプ槽内へのポンプＰの配設作業が不要となる。
【００５６】
ところで、ポンプ用規制部５３ａ，５３ｂには、ポンプＰのサイズに合わせて調整可能な目盛部５６ａ，５６ｂが備えられている。同様に、ポンプ用規制部５４ａ，５４ｂには、目盛部５７ａ，５７ｂが備えられている。第一筐体部３０及び第二筐体部４０の成型時には、ポンプ用規制部５３ａ，５４ａ及び５３ｂ，５４ｂを長めに成型しておき、設置するポンプＰのサイズ、特にインペラケーシングのサイズに応じて、目盛部５６（５６ａ，５６ｂ）や目盛部５７（５７ａ，５７ｂ）に示された距離を目安としながら、一対のポンプ用規制部５３（５３ａ，５３ｂ）の間の距離や、一対のポンプ用規制部５４（５４ａ，５４ｂ）の間の距離を、例えば切削等の後加工によって調整することができる。
【００５７】
また、第一筐体部３０の内側面部３０ｂには、正面視で左右上方には、吐出管用規制部５５が備えられている。吐出管用規制部５５も、第一筐体部３０をＳＭＣ成型法によって成型するにあたって第一筐体部３０の内側面部３０ｂに一体的に備えられる。吐出管用規制部５５は、金型からスムーズに取り外せるように抜き勾配が備えられ、さらにアンダーカットがない形状となっている。
【００５８】
吐出管用規制部５５は、流出口２２の高さに対応した位置に配設されている。吐出管１７は、下端がポンプＰの吐出部に接続され、立上管１７ａの上端の曲管１７ｄが吐出管用規制部５５に近接することで、垂直方向の移動が規制される。配管を固定するためのブラケットを別途備える必要がない。
なお、吐出管用規制部５５には、吐出管用規制部５５の高さを示す目盛部５８が備えられ、設置するポンプＰの吐出管１７の取り回しに応じて、目盛部５８を目安としながら、吐出管用規制部５５の下端部の高さを、例えば切削等の後加工によって調整することができる。
【００５９】
次に、該放流ポンプ槽２０の浄化槽１０への取り付けについて説明する。
本発明による放流ポンプ槽２０によると、浄化槽１０への取り付けに関して、放流ポンプ槽２０の上部は、左右一対の吊り部材８０を介して浄化槽１０に取り付けられる。一対の吊り部材８０によって、放流ポンプ槽２０の重量の一部が支持される。
【００６０】
吊り部材８０は、剛性を有する金具であり、好ましくは通常の鋼材やステンレス鋼等の平板を加工したものが用いられる。
吊り部材８０の一端部は点検開口部１４の側方の浄化槽肩部１９に固定してあり、他端部はＬ字型に曲げられ、放流ポンプ槽２０のフランジ部３１，４１に固定される。
吊り部材８０を固定する手段は、具体的には、ボルト等が適用可能である。吊り部材８０と浄化槽肩部１９との締結は、例えば、二本のボルトの侵入方向が水平方向になるように固定する。
【００６１】
これにより、吊り部材８０は、ボルト等の締結により浄化槽肩部１９に簡単に固定することができるため、組み立て性に優れている。
このとき、浄化槽肩部１９にボルトのためのボルト孔を貫通形成するが、通常、浄化槽肩部１９まで被処理水の水位が上昇することはない。そのため、浄化槽肩部１９にボルト孔を設ける構成としても、被処理水の漏水の虞はない。
【００６２】
吊り部材８０と放流ポンプ槽２０のフランジ部３１，４１との締結においても、ボルト等が使用される。
このとき、図１、図３及び図４に示したように、放流ポンプ槽２０のフランジ部３１，４１で吊り部材８０を固定すれば、放流ポンプ槽２０にボルト孔を貫通形成する必要はない。従って、被処理水の漏水の虞はない。
【００６３】
上述したように、浄化槽１０は上槽１１と下槽１２から構成されており、それぞれの端部に配設されたフランジを対合させることによりフランジ部１５が構成される。
放流ポンプ槽２０の下部は、凹部３３のフランジ部３４が、浄化槽１０のフランジ部１５に取り付けられる。フランジ部１５によって、放流ポンプ槽２０の重量の一部が支持される。
図９及び図１０に示すように、フランジ部１５とフランジ部３４は、ボルト７０及びナット７１によって固定される。
本実施形態では、凹部３３が左右に二つ配設され、即ちフランジ部３４が二つ配設されているので、放流ポンプ槽２０の下部は、二箇所でフランジ部１５に固定されることとなる。
【００６４】
放流ポンプ槽２０に備えられたフランジ部３４を、直接浄化槽１０のフランジ部１５に接合することができるので、従来のような放流ポンプ槽２０の下部を固定するための別途の取付部材が不要となる。
【００６５】
従って、放流ポンプ槽２０の下部に取付部材を取り付けるためのボルト孔を貫通形成する必要もなく、放流ポンプ槽２０を浄化槽１０に固定するためのボルトの防水処理や、防錆処理も不要であり、さらに前記ボルト孔からの漏水の虞もない。また、放流ポンプ槽２０内部でボルトを締め付ける作業が不要となる。
【００６６】
またフランジ部３４は、放流ポンプ槽２０の外側面部３０ａから大きく延出した形状ではないため、放流ポンプ槽２０の外側面部３０ａと、浄化槽１０の側面とが面接触した状態で取り付けできる。この接触面で放流ポンプ槽２０の荷重を分散して支持することができる。さらに、浄化槽１０に放流ポンプ槽２０を取り付けた状態の浄化設備１００を車などで移送する際に発生した振動等により、放流ポンプ槽２０が鉛直方向に上下動し難い構成となる。そのため、放流ポンプ槽２０の取付状態が緩むのを未然に防ぐことができる。
【００６７】
上述の実施形態では、本発明による水槽が放流ポンプ槽２０であり、浄化槽１０に取り付けた構成について説明したが、放流ポンプ槽２０を取り付ける被取付物は浄化槽１０に限らない。
例えば、浄化槽１０が据え付けられるコンクリート製の基礎に配設されたポンプ槽支持部であってもよい。
水槽支持部は、基礎に打ち込まれたアンカーボルトや、前記アンカーボルトに固定された据付ベース等が例示できる。放流ポンプ槽の内底面部が平坦な形状でなくても、フランジ部３４に据付ベースを固定することで、放流ポンプ槽２０を容易に自立させることもできる。さらに、被取付物は、浮上防止金具であってもよい。
【００６８】
また、凹部３３及びフランジ部３４は、放流ポンプ槽２０の外側面部３０ａの上方に配設してもよい。この場合、放流ポンプ槽２０が配設される空間の天井及び天井から垂設されたボルトが被取付物を構成し、放流ポンプ槽２０を、天井に吊設することが可能となる。また、凹部３３及びフランジ部３４は、放流ポンプ槽２０の外側面部３０ａの上方と下方の両方に配設してもよい。また、凹部３３及びフランジ部３４は、放流ポンプ槽２０の外側面部３０ａの高さ方向の中央に配設してもよい。さらに、フランジ部３４は、水平姿勢で配設する構成に限らず、凹部３３内に垂直姿勢に配設してもよい。
また、本発明による水槽は、放流ポンプ槽に限らない。
【００６９】
上述した実施形態は、いずれも本発明の一例であり、該記載により本発明が限定されるものではなく、各部の具体的構成は本発明の作用効果が奏される範囲で適宜変更設計可能である。
【符号の説明】
【００７０】
１７：吐出管
２０：放流ポンプ槽（水槽）
２２：流出口（開口部）
３０：第一筐体部
３０ｂ：内側面部
３１：第一フランジ部
３２：第一開口部
４０：第二筐体部
４１：第二フランジ部
４２：第二開口部
５１ａ：内底面部
５２ａ：第一凹部
５３（５３ａ，５３ｂ）：ポンプ用規制部
５４（５４ａ，５４ｂ）：ポンプ用規制部
５５：吐出管用規制部
５６（５６ａ，５６ｂ）：目盛部
５７（５７ａ，５７ｂ）：目盛部
５８：目盛部
Ｐ：ポンプ
【図１】
2015188863.tif 000003
【図２】
2015188863.tif 000004
【図３】
2015188863.tif 000005
【図４】
2015188863.tif 000006
【図５】
2015188863.tif 000007
【図６】
2015188863.tif 000008
【図７】
2015188863.tif 000009
【図８】
2015188863.tif 000010
【図９】
2015188863.tif 000011
【図１０】
2015188863.tif 000012
【図１１】
2015188863.tif 000013
【図１２】
2015188863.tif 000014